(57)【要約】【課題】気密性に優れた電極構造を有する安価な測定装置を提供する。【解決手段】被測定物を流すまたは封入する容器１と、容器の内面に貼られたライニング２と、容器の開口部６ａに、該容器の内部から挿入して一部が外部に露出するように設けられた電極３と、電極を容器の内部から外部方向に付勢するスプリング７とを備え、電極３は、容器の内部に露出して被測定物に接する面が形成された電極頭部３ａと、電極頭部の外周部であって被測定物に接する面の反対側に突出してライニングに食い込むアンカー部４と、容器の開口部に適合するようにアンカー部から径が徐々に小さくなるようにテーパが形成された電極テーパ部５を備える。【選択図】図３
2009180603.tif 000002
【特許請求の範囲】
【請求項１】
被測定物を流すまたは封入する容器と、
前記容器の内面に貼られたライニングと、
前記容器の開口部に、該容器の内部から挿入して一部が外部に露出するように設けられた電極と、
前記電極を前記容器の内部から外部方向に付勢するスプリングとを備え、
前記電極は、
前記容器の内部に露出して被測定物に接する面が形成された電極頭部と、
前記電極頭部の外周部であって前記被測定物に接する面の反対側に突出して前記ライニングに食い込むアンカー部と、
前記容器の開口部に適合するように前記アンカー部から径が徐々に小さくなるようにテーパが形成された電極テーパ部と、
を備えたことを特徴とする測定装置。
【請求項２】
前記電極頭部の被測定物に接する面は、半球面または平面に成形されていることを特徴とする請求項１記載の測定装置。
【請求項３】
前記アンカー部は、前記電極の軸を含む面で切断した断面が半円形状または三角形状に成形されていることを特徴とする請求項１または請求項２記載の測定装置。
【請求項４】
前記電極テーパ部の表面に、周方向にＶ字状の溝が形成されていることを特徴とする請求項１乃至請求項３のいずれか１項記載の測定装置。
【請求項５】
前記容器の開口部は、さらに、該容器の外面から内面に向けて径が徐々に小さくなるようにテーパが形成されたテーパ部を有し、
前記テーパ部に嵌め込まれて前記スプリングにより前記容器の外部から内部方向に付勢されるシール材を備えたことを特徴とする請求項１乃至請求項４のいずれか１項記載の測定装置。
【発明の詳細な説明】
【技術分野】
【０００１】
本発明は、流体、気体または粉体などといった被測定物の様々な性状または状態量などを測定する測定装置に関し、特に測定装置に使用される電極構造に関する。
【背景技術】
【０００２】
従来、物理量を測定する測定装置の１つとして、液体の流量を測定する電磁流量計が知られている。電磁流量計は、コイルに電流を流して測定管内に磁場をつくり、その中を流れる液体の導電率に従って発生する起電力を電極によって取り出し、その起電力の大きさを検出して流量を測定する。このような電磁流量計の測定管の内面には、腐食を防止するために、一般に、フッ素樹脂やポリウレタン樹脂などを用いた樹脂ライニングが施されている。
【０００３】
このような電磁流量計に使用される電極は、被測定物と直接に接触する部分である。この電極の構造には、一般に、被測定物を流すまたは封入する容器の外側から容器内へ電極を挿入し、この電極を容器の外側からスプリング（バネ）などを用いて容器に押圧することにより気密性（シール）を確保する外挿形と呼ばれるもの（例えば、特許文献１、特許文献２または特許文献３参照）と、容器の内側から外側に向けて電極を挿入し、この電極を容器の外側からスプリングなどを用いて外側へ引っ張り上げることにより電極頭部を容器に密着させて気密性を確保する内挿形と呼ばれるもの（例えば、特許文献４、特許文献５、特許文献６、特許文献７、特許文献８参照）などが知られている。
【特許文献１】特開２００３−２６２５４４号公報
【特許文献２】特開平４−９５７１９号公報
【特許文献３】特開２００４−１６３１９３号公報
【特許文献４】特開平１１−８３５６９号公報
【特許文献５】特開平４−１９８８１６号公報（第２Ａ図）
【特許文献６】特開２００７−２４０２３１号公報
【特許文献７】特開平４−９５８１９号公報
【特許文献８】実公平３−５５８６５号公報
【発明の開示】
【発明が解決しようとする課題】
【０００４】
しかしながら、上述した外挿形の電極においては、電極を外側からスプリングなどを用いて押圧することにより気密性を確保しているため、スプリングの付勢力が経年変化などで弱まると容器内圧に対抗するべく電極を押圧する力も弱まり、気密性が損なわれて被測定物が容器の外へ漏れるという問題がある。
【０００５】
また、外挿形の電極の場合、電極の気密性保持部（シール部）は、容器内で被測定物に直接に接触する電極頭部ではなく、容器外側に近い部分に設けられたＯ−リングやガスケットにより構成されているため、被測定物が気密性保持部まで浸透する。その結果、腐食性の被測定物の場合は、浸透部分で酸素濃淡電池などが形成されて電極が腐食し、析出性の被測定物の場合は、浸透部分に被測定物が析出して容器と電極との間隙を広げ、気密性を破壊するという問題がある。
【０００６】
さらに、外挿形の電極の場合、容器外側からスプリングで電極を押圧するためにスプリングを保持するボスと呼ばれる壁が必要になり、このボスを容器へ溶接などで取り付けると、その分だけ施工費用が増加するという問題がある。
【０００７】
一方、内挿形の電極においては、外側のスプリングで電極を外側へ引っ張り上げることにより電極頭部を容器内面に密着させ、さらに、容器内圧が電極頭部を押圧することによって密着性が良くなり、良好な気密性が得られるという利点がある。しかしながら、例えば、特許文献４に開示された技術では、被測定流体が腐食性の場合は、容器と電極に形成されたテーパ部との間のガスケットが溶けてしまうという問題がある。
【０００８】
また、特許文献５に開示された技術では、気密性保持部が、電極に設けられたテーパ部と容器に設けられたテーパ部との接触による面シールにより構成されているので、容器内面にライニングされている樹脂がフッ素樹脂などのような比較的硬質な樹脂の場合には気密性の保持に必要な面圧が得られず、気密性が保てないという問題がある。
【０００９】
また、特許文献６に開示された技術では、図９および図１０に示すように、電極頭部３０の外周部であって被測定物に接する面の反対側に半円状の突起３１を設け、気密性保持部を広い面ではなく狭い範囲に集中させてスプリング３２で引っ張り上げることにより、容器３３の内面に施されたライニング３４がフッ素樹脂などのような比較的硬質な樹脂の場合であっても気密性の保持に必要な面圧が得られるようにしている。なお、図９（ａ）は、図９（ｂ）に示すような軸方向の切断面で切断した断面図であり、図１０（ａ）は、図１０（ｂ）に示すような径方向の切断面で切断した断面図である。
【００１０】
しかしながら、この特許文献６に開示された技術では、電極頭部３０の半円状の突起３１よりも電極軸部３５の側に平面部が存在するので、図９（ａ）に示すような軸方向断面では、この平面は容器に密着するが、図１０（ａ）に示すような径方向断面では、容器３３は円形となるので、この平面と円筒状の容器３３の内面との間に隙間が発生して気密性が損なわれるという問題がある。
【００１１】
また、特許文献７に開示された技術では、電極頭部が容器に埋まっていて気密性保持部が電極頭部より奥のシール材であることから、外挿形の電極と同様に、酸素濃淡電池による腐食や析出物による気密性の損傷とシール材が腐食により溶けてしまうという問題がある。
【００１２】
さらに、特許文献８に開示された技術では、電極頭部が平面であることから容器内面にライニングされている樹脂がフッ素樹脂などのような比較的硬質な樹脂の場合には気密性の保持に必要な面圧を得ることが困難であり、また、径方向断面では容器は円形となるので電極頭部の平面と円筒状の容器の内面との間に隙間が発生して気密性が損なわれるという問題がある。
【００１３】
本発明は、上述した諸問題を解消するためになされたものであり、その課題は、気密性に優れた電極構造を有する安価な測定装置を提供することにある。
【課題を解決するための手段】
【００１４】
上記課題を解決するために、第１の発明は、被測定物を流すまたは封入する容器と、容器の内面に貼られたライニングと、容器の開口部に、該容器の内部から挿入して一部が外部に露出するように設けられた電極と、電極を容器の内部から外部方向に付勢するスプリングとを備え、電極は、容器の内部に露出して被測定物に接する面が形成された電極頭部と、電極頭部の外周部であって被測定物に接する面の反対側に突出してライニングに食い込むアンカー部と、容器の開口部に適合するようにアンカー部から径が徐々に小さくなるようにテーパが形成された電極テーパ部を備えたことを特徴とする。
【００１５】
また、第２の発明は、第１の発明において、電極頭部の被測定物に接する面は、半球面または平面に成形されていることを特徴とする。
【００１６】
また、第３の発明は、第１または第２の発明において、アンカー部は、電極の軸を含む面で切断した断面が半円形状または三角形状に成形されていることを特徴とする。
【００１７】
また、第４の発明は、第１乃至第３のいずれか１項記載の発明において、電極テーパ部の表面に、周方向にＶ字状の溝が形成されていることを特徴とする。
【００１８】
また、第５の発明は、第１乃至第４のいずれか１項記載の発明において、容器の開口部は、さらに、該容器の外面から内面に向けて径が徐々に小さくなるようにテーパが形成されたテーパ部を有し、テーパ部に嵌め込まれてスプリングにより容器の外部から内部方向に付勢されるシール材を備えたことを特徴とする。
【発明の効果】
【００１９】
本発明によれば、気密性に優れた電極構造を有する安価な測定装置を提供することができる。すなわち、第１の発明によれば、電極頭部に形成されたアンカー部は、ライニングがフッ素樹脂などのように比較的硬い樹脂であっても小さい力で簡単にライニングに食い込むので、気密性の保持に必要な面圧を得ることができる。また、電極頭部の電極テーパ部は、測定管の内部の圧力が上昇すればするほど電極頭部を押圧する力が増加して容器の開口部に押し付ける力が増加するので、それら間の面圧が上昇して気密性が増加し、自己気密性（セルフシール）の機能を実現できる。さらに、スプリングは、電極を測定管の内側から外側へ常時引っ張り上げるので、ライニングの厚さが経年変化により変化したり、測定管の内圧の変化により電極頭部を押圧する力が変化したりして電極の位置がずれても、これら位置の変化に電極を追従させて気密性を確保することができる。
【００２０】
また、第２の発明によれば、第１の発明による効果に加え、電極頭部の頭頂部を半球面に成形すれば被測定物の流速が大きくなるので、電極頭部に被測定物が付着または析出したり、電極頭部に被測定物が堆積したりすることを減少させることができる。
【００２１】
また、第３の発明によれば、第１または第２の発明による効果に加え、アンカー部を、電極の軸を含む面で切断した断面が三角形状になるように成形すれば、さらに、気密性を高めることができる。
【００２２】
また、第４の発明によれば、第１、第２または第３の発明による効果に加え、ライニングがＶ字状の溝に食い込むので、電極テーパ部と容器の開口部との間に形成されるシール面による気密性がさらに良くなる。
【００２３】
さらに、第５の発明によれば、第１、第２、第３または第４の発明による効果に加え、ライニングを透過した気体または液体や電極頭部による気密保持構造を通過してしまった被測定物が測定管の外部へ漏れ出すことを防止できる。
【発明を実施するための最良の形態】
【００２４】
以下、本発明の実施の形態を、図面を参照しながら詳細に説明する。なお、以下では、測定装置の一例として、電磁流量計を例に挙げて説明する。
【実施例１】
【００２５】
図１は、本発明の実施例１に係る測定装置としての電磁流量計の原理を説明するための図である。この電磁流量計は、被測定物としての被測定流体が流れる非導電性金属から成る測定管１に、対向する一対のコイル２１ａおよび２１ｂが設けられ、さらに、この一対のコイル２１ａおよび２１ｂに直交するように、対向する一対の電極３1および３2が設けられている。
【００２６】
一対のコイル２１ａおよび２１ｂには、励磁部２２から励磁電流が供給される。励磁部２２は、タイミング回路２３から送られてくる方形波のタイミング信号に応じた励磁電流を発生し、上述したように、一対のコイル２１ａおよび２１ｂに送る。タイミング回路２３は、例えばマイクロコンピュータから構成されており、計測タイミングを規定するための方形波のタイミング信号を生成し、励磁部２２および流量演算部２５に送る。
【００２７】
一対の電極３1および３2で検出された信号は、信号処理部２４に送られる。信号処理部２４は、一対の電極３1および３2から送られてくる信号の増幅やノイズフィルタリングなどを行った後に電位差を検出し、デジタル信号に変換して流量演算部２５に送る。流量演算部２５は、タイミング回路２３から送られてくるタイミング信号に応じて、信号処理部２４から送られてくる信号に基づき流量を算出し、表示部２６に送る。表示部２６は、例えばＬＣＤ（Liquid Crystal Display）から構成されており、流量演算部２５から送られてくる流量を表す信号に応じて、流量を表示する。
【００２８】
次に、上記のように構成される電磁流量計の動作を説明する。まず、タイミング回路２３は、所定の計測タイミングでタイミング信号を生成し、励磁部２２および流量演算部２５に送る。励磁部２２は、タイミング回路２３から送られてくるタイミング信号に応じて励磁電流を発生し、一対のコイル２１ａおよび２１ｂに送る。これにより、測定管１の内部のコイル２１ａとコイル２１ｂとの間に磁場が形成される。この磁場の中を被測定流体が流れて磁界を切ることにより被測定流体に起電力が発生する。この被測定流体に発生された起電力を表す信号は、一対の電極３1および３2を経由して信号処理部２４に送られる。
【００２９】
信号処理部２４は、一対の電極３1および３2から送られてくる信号の電位差を求めることにより起電力の大きさを検出し、デジタル信号に変換して流量演算部２５に送る。流量演算部２５は、タイミング回路２３から送られてくるタイミング信号に応じて、信号処理部２４から送られてくる起電力の大きさを示す信号から流量を算出し、表示部２６に送る。表示部２６は、流量演算部２５から送られてくる流量を表す信号に応じて、流量を表示する。
【００３０】
図２は、本発明の実施例１に係る測定装置としての電磁流量計の外観斜視図である。測定管１の両端には、図示しない配管と接続するためのフランジ１ａおよび１ｂが設けられている。また、測定管１のほぼ中央部分には、電極３1が収容された電極部２０が設けられている。なお、電磁流量計は、電極３2が収容された電極部も備えているが、図２では、１つの電極部２０のみを示している。
【００３１】
図３は、本発明の実施例１に係る測定装置としての電磁流量計の電極部２０およびその周囲の構造を径方向の切断面で切断して部分的に示す断面図である。電極部２０は、電極３、スプリング７、スペーサ８およびナット９から構成されている。図４は、電極３の外観斜視図である。
【００３２】
被測定物を流すまたは封入する容器としての測定管１には、その内面から外面に向けて径が徐々に小さくなるようにテーパが形成された容器テーパ部６を有する開口部６ａが設けられている。測定管１の内面および開口部６ａには、測定管１が被測定物により腐食することを防止するためにライニング２が貼られている。この開口部６ａに、測定管１の内側から電極３が挿入される。
【００３３】
電極３は、測定管１の内部に露出して被測定物と直接に接触する面を有する電極頭部３ａと、この電極頭部３ａに続く電極軸部３ｂから構成されている。電極軸部３ｂの、測定管１から外側になる部分にはねじ山３ｃが形成されており、このねじ山３ｃにはナット９が螺合される。電極頭部３ａの被測定物に接する面、つまり測定管１の内部に露出する面（頭頂部）は、測定管１の内部に突出する半球面に成形されている。
【００３４】
また、電極頭部３ａの外周部であって、被測定物に接する面の反対側には、電極３の軸を含む面で切断した断面が電極軸部３ｂの半径より小さい半径を持つ半円形の突起部からなるアンカー部４が形成されている。
【００３５】
また、電極頭部３ａのアンカー部４から電極軸部３ｂに至る部分には、開口部６ａの容器テーパ部６に適合するように、アンカー部４から径が徐々に小さくなるテーパが形成された電極テーパ部５が設けられている。
【００３６】
測定管１の内側から挿入された電極３の、測定管１から外側の部分は、スペーサ８に挟まれたスプリング７を介在させて、ナット９によりねじ止めされている。これにより、電極３は、測定管１の内部から外部方向へ常時付勢されている。
【００３７】
このように構成された実施例１に係る電磁流量計においては、電極頭部３ａの、測定管１の内部に露出する部分を半球面としたことにより、測定管１の内部を被測定物が流れる場合に、電極頭部３ａの頭頂部で被測定物の流速が大きくなるように作用する。
【００３８】
また、電極頭部３ａに形成されたアンカー部４は、突起部を形成する半円形の径が比較的小さいので、電極３を測定管１の内側から外側に引っ張る力が小さくてもライニング２へ簡単に食い込む。その結果、面シールではなく線シールとなり、面圧が上昇するように作用する。
【００３９】
さらに、電極頭部３ａの電極テーパ部５は、測定管１の内部の圧力が上昇して電極頭部３ａが押圧された場合に、その押圧力で測定管１側の容器デーパ部６に密着し、それらの間の面圧を上昇させるように作用する。
【００４０】
以上説明したように、本発明の実施例１に係る測定装置としての電磁流量計によれば、電極頭部３ａは、その頭頂部が半球面に成形されることによって被測定物の流速を大きくするので、電極頭部３ａに被測定物が付着または析出したり、電極頭部３ａに被測定物が堆積したりすることを減少させることができる。
【００４１】
また、電極頭部３ａに形成されたアンカー部４は、ライニング２がフッ素樹脂などのように比較的硬い樹脂であっても小さい力で簡単にライニング２に食い込むので、気密性の保持に必要な面圧を得ることができる。
【００４２】
また、電極頭部３ａの電極テーパ部５は、測定管１の内部の圧力が上昇すればするほど電極頭部３ａを押圧する力が増加して容器デーパ部６に押し付ける力が増加するので、それら間の面圧が上昇して気密性が増加する。その結果、自己気密性（セルフシール）の機能を実現できる。
【００４３】
さらに、スプリング７は、電極３を測定管１の内側から外側へ常時引っ張り上げるので、ライニング２の厚さが経年変化により変化したり、測定管１の内圧の変化により電極頭部３ａを押圧する力が変化したりして電極３の位置がずれても、これら位置の変化に電極３を追従させて気密性を確保することができる。
【実施例２】
【００４４】
図５は、本発明の実施例２に係る測定装置としての電磁流量計の電極部２０およびその周囲の構造を径方向の切断面で切断して部分的に示す断面図である。この電磁流量計は、実施例１に係る電磁流量計における電極３の電極頭部３ａが、電極頭部３ｃに変更されて構成されている。以下では、実施例１に係る電磁流量計の構造と同一の部分には実施例１で使用した符号と同一の符号を付して説明を省略する。
【００４５】
電極頭部３ｃは、測定管１の内部に露出して被測定物と直接に接触する面（頭頂部）が平面に成形されている。
【００４６】
この実施例２に係る電磁流量計によれば、被測定物の付着、析出および堆積を防止する効果が低下する以外は、実施例１に係る電磁流量計と同様の作用および効果が得られる。なお、被測定物が、非付着性、非析出性または非堆積性を有していなければ、実施例１に係る電磁流量計と全く同様の作用および効果が得られる。
【実施例３】
【００４７】
図６は、本発明の実施例３に係る測定装置としての電磁流量計の電極部２０およびその周囲の構造を径方向の切断面で切断して部分的に示す断面図である。この電磁流量計は、実施例１に係る電磁流量計における電極３の電極頭部３ａに形成されたアンカー部４が、アンカー部４ａに変更されて構成されている。以下では、実施例１に係る電磁流量計の構造と同一の部分には実施例１で使用した符号と同一の符号を付して説明を省略する。
【００４８】
アンカー部４ａは、電極３の軸を含む面で切断した断面が三角形の突起となるように形成されている。
【００４９】
この実施例３に係る電磁流量計によれば、実施例１に係る電磁流量計と同様の作用および効果が得られる他に、アンカー効果として、実施例１に係る電磁流量計以上の気密保持効果が得られる。
【００５０】
なお、実施例３に係る電磁流量計では、実施例１に係る電磁流量計の電極頭部３ａに形成されたアンカー部４をアンカー部４ａに変更するように構成したが、実施例２に係る電磁流量計の電極頭部３ａに形成されたアンカー部４を、アンカー部４ａに変更するように構成することもできる。
【実施例４】
【００５１】
図７は、本発明の実施例４に係る測定装置としての電磁流量計の電極部２０およびその周囲の構造を径方向の切断面で切断して部分的に示す断面図である。この電磁流量計は、実施例１に係る電磁流量計で使用される電極３の電極テーパ部５に、周方向にＶ字状の溝１０を設けて構成されている。以下では、実施例１に係る電磁流量計の構造と同一の部分には実施例１で使用した符号と同一の符号を付して説明を省略する。
【００５２】
この実施例４に係る電磁流量計によれば、実施例１に係る電磁流量計と同様の作用および効果が得られる他に、ライニング２がＶ字状の溝１０に食い込むので、電極テーパ部５と容器デーパ部６との間に形成されるシール面による気密性がさらに良くなるという効果が得られる。
【００５３】
なお、実施例４に係る電磁流量計では、実施例１に係る電磁流量計で使用される電極３の電極テーパ部５にＶ字状の溝１０を設けるように構成したが、実施例２または実施例３に係る電磁流量計で使用される電極３の電極テーパ部５にＶ字状の溝１０を設けるように構成することもできる。
【実施例５】
【００５４】
図８は、本発明の実施例５に係る測定装置としての電磁流量計の電極部２０およびその周囲の構造を径方向の切断面で切断して部分的に示す断面図である。この電磁流量計は、実施例４に係る電磁流量計に変更を加えて構成されている。以下では、実施例１に係る電磁流量計の構造と同一の部分には実施例１で使用した符号と同一の符号を付して説明を省略する。
【００５５】
この実施例４に係る電磁流量計は、測定管１の開口部６ａが、測定管１の外面から内面に向けて径が徐々に小さくなるようにテーパが形成された二次テーパ部１２を有するように形成されるとともに、ライニング２は、測定管１の内面から容器テーパ部６と二次テーパ部１２との間までに貼られ、さらに、二次テーパ部１２とスプリング７との間にスペーサ８を介在させて、例えばＯ−リングから成るシール材１１を嵌め込んで構成されている。シール材１１は、ライニング透過気体流入防止と気密性保持の機能を有するように作用する。
【００５６】
この実施例５に係る電磁流量計によれば、実施例４に係る電磁流量計と同様の作用および効果が得られる他に、ライニング２を透過した気体または液体や電極頭部３ａに備えられている気密保持構造を通過してしまった被測定物が測定管１の外部へ漏れ出すことを防止することができる。
【００５７】
なお、実施例５に係る電磁流量計では、実施例４に係る電磁流量計に二次テーパ部１２を設けてシール材１１を嵌め込むように構成したが、実施例１〜実施例３のいずれかに係る電磁流量計に二次テーパ部１２を設けてシール材１１を嵌め込むように構成することもできる。
【００５８】
本発明は、実施例１乃至実施例５に係る電磁流量計に限定されるものではない。実施例１乃至実施例５に係る電磁流量計では、容器１に容器テーパ部６が形成されていたが、容器１に容器テーパ部６が形成されていない場合で電極テーパ部５のみが形成されていても良い。このような場合でも、実施例１乃至実施例５に係る電磁流量計の効果と同様な効果が得られる。
【産業上の利用可能性】
【００５９】
本発明は、水道メータ、ガスメータなどとして利用可能である。
【図面の簡単な説明】
【００６０】
【図１】本発明の実施例１に係る測定装置としての電磁流量計の原理を説明するための図である。
【図２】本発明の実施例１に係る測定装置としての電磁流量計の外観斜視図である。
【図３】本発明の実施例１に係る測定装置としての電磁流量計の電極部およびその周囲の構造を径方向の切断面で切断して部分的に示す断面図である。
【図４】本発明の実施例１に係る測定装置としての電磁流量計で使用される電極の外観斜視図である。
【図５】本発明の実施例２に係る測定装置としての電磁流量計の電極部およびその周囲の構造を径方向の切断面で切断して部分的に示す断面図である。
【図６】本発明の実施例３に係る測定装置としての電磁流量計の電極部およびその周囲の構造を径方向の切断面で切断して部分的に示す断面図である。
【図７】本発明の実施例４に係る測定装置としての電磁流量計の電極部およびその周囲の構造を径方向の切断面で切断して部分的に示す断面図である。
【図８】本発明の実施例５に係る測定装置としての電磁流量計の電極部およびその周囲の構造を径方向の切断面で切断して部分的に示す断面図である。
【図９】従来の電磁流量計の電極およびその周囲の構造を軸方向の切断面で切断して部分的に示す断面図である。
【図１０】従来の電磁流量計の電極およびその周囲の構造を径方向の切断面で切断して部分的に示す断面図である。
【符号の説明】
【００６１】
１  測定管
１ａ、１ｂ  フランジ
２  ライニング
３、３1、３2  電極
３ａ、３ｃ  電極頭部
３ｂ  電極軸部
４、４ａ  アンカー部
５  電極テーパ部
６  容器テーパ部
６ａ  開口部
７  スプリング
８  スペーサ
９  ナット
１０  Ｖ字状の溝
１１  シール材
１２  二次テーパ部
２０  電極部
２１ａ、２１ｂ  コイル
２２  励磁部
２３  タイミング回路
２４  信号処理部
２５  流量演算部
２６  表示部
【図１】
2009180603.tif 000003
【図２】
2009180603.tif 000004
【図３】
2009180603.tif 000005
【図４】
2009180603.tif 000006
【図５】
2009180603.tif 000007
【図６】
2009180603.tif 000008
【図７】
2009180603.tif 000009
【図８】
2009180603.tif 000010
【図９】
2009180603.tif 000011
【図１０】
2009180603.tif 000012